(57)【要約】【課題】セールスと顧客との通話の調整処理を効率的におこなう。【解決手段】セールス側情報処理端末装置群１０３が、記顧客からの通話の発信に関する情報を表示する表示部３１２と、表示された情報にかかる顧客からの通話の発信に対するセールスの状況に応じた顧客へのアクション情報を入力する入力部３１３と、入力されたアクション情報を前記サーバへ送信する送信部３１４と、を備え、Web&IP/Telephoneサーバ１０１が、送信部３１４によって送信されたアクション情報を受信する受信部３０４と、受信されたアクション情報に基づいて、セールス側情報処理端末装置群１０３に表示する表示内容および顧客側情報処理端末装置１０６〜１０９に表示する表示内容を決定する表示内容決定部３０２と、決定された表示内容に関する情報を、セールス側情報処理端末装置群１０３および顧客側情報処理端末装置１０６〜１０９へ送信する送信部３０３と、を備える。【選択図】        図３
2005110062.tif 000002
【特許請求の範囲】
【請求項１】
セールスの情報処理端末装置と、顧客の情報処理端末装置と、サーバとが、ネットワークで接続され、前記セールスと前記顧客との通話の調整を支援する通話調整支援システムにおいて、
前記セールスの情報処理端末装置が、
前記顧客からの通話の発信に関する情報を表示する表示手段と、
前記表示手段によって表示された情報にかかる前記顧客からの通話の発信に対する前記セールスの状況に応じた前記顧客へのアクション情報を入力する入力手段と、
前記入力手段によって入力されたアクション情報を前記サーバへ送信する送信手段と、
を備え、
前記サーバが、
前記送信手段によって送信されたアクション情報を受信する受信手段と、
前記受信手段によって受信されたアクション情報に基づいて、前記セールスの情報処理端末装置に表示する表示内容および前記顧客の情報処理端末装置に表示する表示内容の少なくともいずれかを決定する表示内容決定手段と、
前記表示内容決定手段によって決定された表示内容に関する情報を、前記セールスの情報処理端末装置および前記顧客の情報処理端末装置の少なくともいずれかへ送信する送信手段と、
を備えたことを特徴とする通話調整支援システム。
【請求項２】
セールスの情報処理端末装置と、顧客の情報処理端末装置と、サーバとが、ネットワークで接続され、前記セールスと前記顧客との通話の調整を支援する通話調整支援システムにおいて、
前記顧客の情報処理端末装置が、
前記セールスからの通話の発信に関する情報を表示する表示手段と、
前記表示手段によって表示された情報にかかる前記セールスからの通話の発信に対する前記顧客の状況に応じた前記セールスへのアクション情報を入力する入力手段と、
前記入力手段によって入力されたアクション情報を前記サーバへ送信する送信手段と、
を備え、
前記サーバが、
前記送信手段によって送信されたアクション情報を受信する受信手段と、
前記受信手段によって受信されたアクション情報に基づいて、前記セールスの情報処理端末装置に表示する表示内容および前記顧客の情報処理端末装置に表示する表示内容の少なくともいずれかを決定する表示内容決定手段と、
前記表示内容決定手段によって決定された表示内容に関する情報を、前記セールスの情報処理端末装置および前記顧客の情報処理端末装置の少なくともいずれかへ送信する送信手段と、
を備えたことを特徴とする通話調整支援システム。
【請求項３】
前記アクション情報がコールバックに関する情報であることを特徴とする請求項１または２に記載の通話調整支援システム。
【請求項４】
前記アクション情報が折り返しに関する情報であることを特徴とする請求項１または２に記載の通話調整支援システム。
【請求項５】
前記アクション情報が保留に関する情報であることを特徴とする請求項１または２に記載の通話調整支援システム。
【請求項６】
前記アクション情報が伝言依頼に関する情報であることを特徴とする請求項１または２に記載の通話調整支援システム。
【請求項７】
ネットワークで接続された、セールスの情報処理端末装置と、顧客の情報処理端末装置と、サーバとを用いて、前記セールスと前記顧客との通話の調整を支援する通話調整支援方法において、
前記顧客からの通話の発信に関する情報を表示する表示工程と、
前記表示工程によって表示された情報にかかる前記顧客からの通話の発信に対する前記セールスの状況に応じた前記顧客へのアクション情報の入力を受け付ける入力工程と、
前記入力工程によって入力されたアクション情報に基づいて、前記セールスの情報処理端末装置に表示する表示内容および前記顧客の情報処理端末装置に表示する表示内容の少なくともいずれかを決定する表示内容決定工程と、
前記表示内容決定工程によって決定された表示内容に関する情報を、前記セールスの情報処理端末装置および前記顧客の情報処理端末装置の少なくともいずれかに表示する表示工程と、
を含んだことを特徴とする通話調整支援方法。
【請求項８】
ネットワークで接続された、セールスの情報処理端末装置と、顧客の情報処理端末装置と、サーバとを用いて、前記セールスと前記顧客との通話の調整を支援する通話調整支援方法において、
前記セールスからの通話の発信に関する情報を表示する表示工程と、
前記表示工程によって表示された情報にかかる前記セールスからの通話の発信に対する前記顧客の状況に応じた前記セールスへのアクション情報を入力する入力工程と、
前記入力工程によって入力されたアクション情報に基づいて、前記セールスの情報処理端末装置に表示する表示内容および前記顧客の情報処理端末装置に表示する表示内容の少なくともいずれかを決定する表示内容決定工程と、
前記表示内容決定工程によって決定された表示内容に関する情報を、前記セールスの情報処理端末装置および前記顧客の情報処理端末装置の少なくともいずれかに表示する表示工程と、
を含んだことを特徴とする通話調整支援方法。
【請求項９】
前記アクション情報がコールバックに関する情報であることを特徴とする請求項７または８に記載の通話調整支援方法。
【請求項１０】
前記アクション情報が折り返しに関する情報であることを特徴とする請求項７または８に記載の通話調整支援方法。
【請求項１１】
前記アクション情報が保留に関する情報であることを特徴とする請求項７または８に記載の通話調整支援方法。
【請求項１２】
前記アクション情報が伝言依頼に関する情報であることを特徴とする請求項７または８に記載の通話調整支援方法。
【請求項１３】
前記請求項７〜１２のいずれか一つに記載の方法をコンピュータに実行させることを特徴とする通話調整支援プログラム。
【発明の詳細な説明】
【技術分野】
【０００１】
この発明は、セールスと顧客との通話の調整を支援する通話調整支援システム、通話調整支援方法およびその方法をコンピュータに実行させる通話調整支援プログラムに関する。ここで、セールスとは、たとえば、証券会社で証券（債券）の売買を顧客を相手におこなう人物であり、また、顧客とは、たとえば、一般の個人投資家でなく機関投資家と呼ばれる企業で資金運用をおこなう人物である。
【背景技術】
【０００２】
図４１は、従来技術にかかるセールスの業務の概要を示す説明図である。図４１において、まず、セールスはトレーダーからのオファーシート（債券の在庫表）を受領する（１）。つぎに、顧客がセールスに対して、債券の買い（売り）注文を問い合わせをする（２）。そして、セールスが在庫確認する（３）。つぎに、セールスがトレーダーに売り（買い）価格を確認する（４）。その後、セールスと顧客との売買条件引合（条件については都度トレーダーに問い合わせ）をおこなう（５）。約定（委託伝票起票、トレーダーに約定報告）すると、約定をシステムに入力する（６）。そして、場合によっては約定内容を照合する意味で顧客に約定内容をＦＡＸする（７）。このように、処理の大部分は手作業によっておこなわれていた。
【発明の開示】
【発明が解決しようとする課題】
【０００３】
しかしながら、上記従来技術にあっては、電話でのやり取りのため、売買ミス有りも含め、セールス側において、電話に出ることができないことがある。たとえば、離席中（セールスが担当顧客の電話に出られない）や、話中（セールスが担当顧客の電話に出られない）や、代理応答（別のセールスが話中や離席中の担当者に変って代理応答）になってしまったり、あまりに忙しい場合は誰も電話に出ることすらできない状況に陥ることもある。
【０００４】
上記の弊害として、誰か１人の顧客と話していると当然他の顧客とは話せないため、機会の喪失となる。また、話中の他からの顧客による電話は別のものが代理で対応しているため、担当外部員に対する負荷が大きくなるだけでなく、担当者外による機会の喪失につながる。さらには、代理対応時の伝達不備による機会の喪失にもつながる。また、誰も電話に出られないことによって機会の喪失となる場合もあり、顧客、セールスいずれにおいてもマイナス要因となる。
【０００５】
また、セールスにとって、電話を取るまで内容がわからない。また、顧客からの相談なのか、売買の商談なのかわからない。また、話中に、他の客からの相談がはいった場合、その顧客の用件を知りたいという要望がある。そもそも電話に出るまで相手がわからない（電話番号表示でおおよそはわかることはある）。このため、重要な電話を逃すことがある。また、重要度の低い電話で商機を逃すこともある。したがって、話中に掛かってきた電話の相手や用件をすぐに知りたい。
【０００６】
一方、顧客側において、担当者が不在であったり、電話をしたが担当者が話中もしくは不在であったり、セールスが話中や不在時の折り返しがいつかわからない。また、約束の時刻に連絡がこない。また、取引の一つに、特定の時刻に特定の証券（債券）の時価情報を各証券会社から知りたい場合があるが連絡がこない場合がある。また、不在時の折り返しの連絡がセールスからこない。また時間の損失（不在時の電話に対する無駄、折り返し未確定による待ち時間の浪費）だけでなく、約束を違えたことによる信用の低下、機会の喪失となり、いずれにせよ、顧客、セールスいずれにおいてもマイナス要因となる。
【０００７】
この発明は、上述した従来技術による問題点を解消するため、通話（電話応答）時の円滑な対応によってスムーズで、機会を逸しない形態を実現することが可能な通話調整支援システム、通話調整支援方法およびその方法をコンピュータに実行させる通話調整支援プログラムを提供することを目的とする。
【課題を解決するための手段】
【０００８】
上述した課題を解決し、目的を達成するため、請求項１に記載の発明にかかる通話調整支援システムは、セールスの情報処理端末装置と、顧客の情報処理端末装置と、サーバとが、ネットワークで接続され、前記セールスと前記顧客との通話の調整を支援する通話調整支援システムにおいて、前記セールスの情報処理端末装置が、前記顧客からの通話の発信に関する情報を表示する表示手段と、前記表示手段によって表示された情報にかかる前記顧客からの通話の発信に対する前記セールスの状況に応じた前記顧客へのアクション情報を入力する入力手段と、前記入力手段によって入力されたアクション情報を前記サーバへ送信する送信手段と、を備え、前記サーバが、前記送信手段によって送信されたアクション情報を受信する受信手段と、前記受信手段によって受信されたアクション情報に基づいて、前記セールスの情報処理端末装置に表示する表示内容および前記顧客の情報処理端末装置に表示する表示内容の少なくともいずれかを決定する表示内容決定手段と、前記表示内容決定手段によって決定された表示内容に関する情報を、前記セールスの情報処理端末装置および前記顧客の情報処理端末装置の少なくともいずれかへ送信する送信手段と、を備えたことを特徴とする。
【０００９】
また、請求項２に記載の発明にかかる通話調整支援システムは、セールスの情報処理端末装置と、顧客の情報処理端末装置と、サーバとが、ネットワークで接続され、前記セールスと前記顧客との通話の調整を支援する通話調整支援システムにおいて、前記顧客の情報処理端末装置が、前記セールスからの通話の発信に関する情報を表示する表示手段と、前記表示手段によって表示された情報にかかる前記セールスからの通話の発信に対する前記顧客の状況に応じた前記セールスへのアクション情報を入力する入力手段と、前記入力手段によって入力されたアクション情報を前記サーバへ送信する送信手段と、を備え、前記サーバが、前記送信手段によって送信されたアクション情報を受信する受信手段と、前記受信手段によって受信されたアクション情報に基づいて、前記セールスの情報処理端末装置に表示する表示内容および前記顧客の情報処理端末装置に表示する表示内容の少なくともいずれかを決定する表示内容決定手段と、前記表示内容決定手段によって決定された表示内容に関する情報を、前記セールスの情報処理端末装置および前記顧客の情報処理端末装置の少なくともいずれかへ送信する送信手段と、を備えたことを特徴とする。
【００１０】
また、請求項３に記載の発明にかかる通話調整支援システムは、請求項１または２に記載の発明において、前記アクション情報がコールバックに関する情報であることを特徴とする。
【００１１】
また、請求項４に記載の発明にかかる通話調整支援システムは、請求項１または２に記載の発明において、前記アクション情報が折り返しに関する情報であることを特徴とする。
【００１２】
また、請求項５に記載の発明にかかる通話調整支援システムは、請求項１または２に記載の発明において、前記アクション情報が保留に関する情報であることを特徴とする。
【００１３】
また、請求項６に記載の発明にかかる通話調整支援システムは、請求項１または２に記載の発明において、前記アクション情報が伝言依頼に関する情報であることを特徴とする。
【００１４】
また、請求項７に記載の発明にかかる通話調整支援方法は、ネットワークで接続された、セールスの情報処理端末装置と、顧客の情報処理端末装置と、サーバとを用いて、前記セールスと前記顧客との通話の調整を支援する通話調整支援方法において、前記顧客からの通話の発信に関する情報を表示する表示工程と、前記表示工程によって表示された情報にかかる前記顧客からの通話の発信に対する前記セールスの状況に応じた前記顧客へのアクション情報の入力を受け付ける入力工程と、前記入力工程によって入力されたアクション情報に基づいて、前記セールスの情報処理端末装置に表示する表示内容および前記顧客の情報処理端末装置に表示する表示内容の少なくともいずれかを決定する表示内容決定工程と、前記表示内容決定工程によって決定された表示内容に関する情報を、前記セールスの情報処理端末装置および前記顧客の情報処理端末装置の少なくともいずれかに表示する表示工程と、を含んだことを特徴とする。
【００１５】
また、請求項８に記載の発明にかかる通話調整支援方法は、ネットワークで接続された、セールスの情報処理端末装置と、顧客の情報処理端末装置と、サーバとを用いて、前記セールスと前記顧客との通話の調整を支援する通話調整支援方法において、前記セールスからの通話の発信に関する情報を表示する表示工程と、前記表示工程によって表示された情報にかかる前記セールスからの通話の発信に対する前記顧客の状況に応じた前記セールスへのアクション情報を入力する入力工程と、前記入力工程によって入力されたアクション情報に基づいて、前記セールスの情報処理端末装置に表示する表示内容および前記顧客の情報処理端末装置に表示する表示内容の少なくともいずれかを決定する表示内容決定工程と、前記表示内容決定工程によって決定された表示内容に関する情報を、前記セールスの情報処理端末装置および前記顧客の情報処理端末装置の少なくともいずれかに表示する表示工程と、を含んだことを特徴とする。
【００１６】
また、請求項９に記載の発明にかかる通話調整支援方法は、請求項７または８に記載の発明において、前記アクション情報がコールバックに関する情報であることを特徴とする。
【００１７】
また、請求項１０に記載の発明にかかる通話調整支援方法は、請求項７または８に記載の発明において、前記アクション情報が折り返しに関する情報であることを特徴とする。
【００１８】
また、請求項１１に記載の発明にかかる通話調整支援方法は、請求項７または８に記載の発明において、前記アクション情報が保留に関する情報であることを特徴とする。
【００１９】
また、請求項１２に記載の発明にかかる通話調整支援方法は、請求項７または８に記載の発明において、前記アクション情報が伝言依頼に関する情報であることを特徴とする。
【００２０】
また、請求項１３に記載の発明にかかる通話調整支援プログラムは、前記請求項７〜１２のいずれか一つに記載の方法をコンピュータに実行させることを特徴とする。
【発明の効果】
【００２１】
本発明によれば、通話（電話応答）時の円滑な対応によってスムーズで、機会を逸しない形態を実現することが可能な通話調整支援システム、通話調整支援方法およびその方法をコンピュータに実行させる通話調整支援プログラムが得られるという効果を奏する。
【発明を実施するための最良の形態】
【００２２】
以下に添付図面を参照して、この発明にかかる通話調整支援システム、通話調整支援方法およびその方法をコンピュータに実行させる通話調整支援プログラムの好適な実施の形態を詳細に説明する。
【００２３】
（通話調整支援システムのシステム構成）
まず、この発明の本実施の形態にかかる通話調整支援システムのシステム構成について説明する。図１は、この発明の本実施の形態にかかる通話調整支援システムのシステム構成を示す説明図である。図１において、１００はＬＡＮやインターネットなどのネットワークであり、１０１はＷｅｂ＆ＩＰ／Ｔｅｌｅｐｈｏｎｅサーバであり、１０２は通話調整支援システムＤＢ群であり、１０３はセールス側情報処理端末装置群であり、１０４はトレーダーの情報処理端末装置群であり、１０５はゲートウェイサーバであり、１０６〜１０９は各顧客側情報処理端末装置である。
【００２４】
セールス側情報処理端末装置群１０３には、各セールス側情報処理端末装置１１１〜１１５が社内ＬＡＮなどのネットワークによって接続されており、同様に、トレーダーの情報処理端末装置群１０４には、各トレーダーの情報処理端末装置１２１〜１２３が同様に社内ＬＡＮなどのネットワークによって接続されている。
【００２５】
（通話調整支援システムを構成するサーバおよびクライアント装置のハードウエア構成）
つぎに、この発明の本実施の形態にかかる通話調整支援システムを構成するサーバおよび情報処理端末装置のハードウエア構成について説明する。図２は、この発明の本実施の形態にかかる通話調整支援システムを構成するサーバおよび情報処理端末装置のハードウエア構成を示す説明図である。
【００２６】
Ｗｅｂ＆ＩＰ／Ｔｅｌｅｐｈｏｎｅサーバ１０１および情報処理端末装置１０６〜１２３は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、着脱可能な記録媒体の一例としてのＦＤ（フレキシブルディスク）２０７と、ディスプレイ２０８と、Ｉ／Ｆ（インタフェース）２０９と、キーボード２１０と、マウス２１１と、スキャナ２１２と、プリンタ２１３と、を備えている。そして、上記各構成部はバス２００によってそれぞれ接続されている。
【００２７】
ここで、ＣＰＵ２０１は、Ｗｅｂ＆ＩＰ／Ｔｅｌｅｐｈｏｎｅサーバ１０１および情報処理端末装置１０６〜１２３の全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００２８】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶したり、ＦＤ２０７に記録されたデータを情報処理端末装置へ読み取らせたりする。着脱可能な記録媒体として、ＦＤ２０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。ディスプレイ２０８は、カーソル、アイコンあるいはツールボックスをはじめ、文書、画像、機能情報などのデータを表示する。たとえば、ＣＲＴ、ＴＦＴ液晶ディスプレイ、プラズマディスプレイなどである。
【００２９】
Ｉ／Ｆ（インタフェース）２０９は、通信回線を通じてネットワーク１００に接続され、ネットワーク１００を介して、他のサーバやクライアント装置に接続される。そして、Ｉ／Ｆ２０９は、ネットワーク１００と内部とのインタフェースを司り、他のサーバや情報処理端末装置からのデータの入出力を制御する。Ｉ／Ｆ２０９は、たとえばモデムやＬＡＮアダプタなどである。
【００３０】
キーボード２１０は、文字、数字、各種指示などの入力のためのキーを備え、データの入力をおこなう。タッチパネル式の入力パッドやテンキー、さらにはタブレットなどであってもよい。マウス２１１は、カーソルの移動や範囲選択、あるいはウインドウの移動やサイズの変更などをおこなう。ポインティングデバイスとして同様の機能を備えるものであれば、トラックボール、ジョイスティック、十字キー、ジョグダイヤルなどであってもよい。
【００３１】
スキャナ２１２は、画像を光学的に読み取り、情報処理端末装置内に画像データを取り込む。スキャナ２１２は、ＯＣＲやＯＭＲ機能を備えていてもよい。また、プリンタ２１３は、画像データや文書データを印刷する。たとえば、レーザプリンタ、インクジェットプリンタなどである。
【００３２】
（通話調整支援システムの機能的構成）
つぎに、この発明の本実施の形態にかかる通話調整支援システムの機能的構成について説明する。図３は、この発明の本実施の形態にかかる通話調整支援システムの機能的構成を示すブロック図である。
【００３３】
図３において、通話調整支援システムを構成するＷｅｂ＆ＩＰ／Ｔｅｌｅｐｈｏｎｅサーバ１０１は、通話制御部３０１と、表示内容決定部３０２と、送信部３０３と、受信部３０４とを含む構成となっている。また、セールス側情報処理端末装置群１０３（セールス側情報処理端末装置１１１〜１１５）は、受信部３１１と、表示部３１２と、入力部３１３と、送信部３１４と、を含む構成となっている。また、顧客側情報処理端末装置１０６〜１０９は、受信部３２１と、表示部３２２と、入力部３２３と、送信部３２４と、を含む構成となっている。
【００３４】
通話制御部３０１は、ＩＰ電話の通話を制御するとともに、顧客からの通話があった場合に、その通話における顧客のセールスに対する要件に関する内容（通話発信情報）を取得し、表示内容決定部３０２へ渡す。また、表示内容決定部３０２は、話における顧客のセールスに対する要件に関する内容に基づいて、セールス側情報処理端末装置に表示する表示内容および顧客側情報処理端末装置１０６〜１０９に表示する表示内容の少なくともいずれかを決定する。通話制御部３０１および表示内容決定部３０２は、具体的には、たとえばＲＯＭ２０２、ＲＡＭ２０３、ＨＤ２０５、ＦＤ２０７などに記憶されたプログラムをＣＰＵ２０１が実行することによってその機能を実現する。
【００３５】
送信部３０３は、表示内容決定部３０２よって決定された表示内容に関する情報を、セールス側情報処理端末装置１１１〜１１５および前記顧客側情報処理端末装置１０６〜１０９の少なくともいずれかへ送信する。また、受信部３０４は、セールス側情報処理端末装置１１１〜１１５および前記顧客側情報処理端末装置１０６〜１０９の少なくともいずれかによって送信されたアクション情報を受信する。送信部３０３および受信部３０４は、具体的には、たとえば図２に示したＩ／Ｆ２０９によってその機能を実現する。この際、表示内容決定部３０２は、受信部３０４によって受信されたアクション情報に基づいて、セールス側情報処理端末装置１１１〜１１５に表示する表示内容および顧客側情報処理端末装置１０６〜１０９に表示する表示内容の少なくともいずれかを決定する。
【００３６】
また、受信部３１１は、Ｗｅｂ＆ＩＰ／Ｔｅｌｅｐｈｏｎｅサーバ１０１の送信部３０３から送信された表示内容に関する情報を受信する。受信部３１１は、具体的には、たとえば図２に示したＩ／Ｆ２０９によってその機能を実現する。また、表示部３１２は、受信部３１１によって受信された表示内容に関する情報、すなわち顧客からの通話の発信に関する情報を表示する。表示部３１２は、具体的には、たとえば図２に示したディスプレイ２０８によって、およびＲＯＭ２０２、ＲＡＭ２０３、ＨＤ２０５、ＦＤ２０７などに記憶されたプログラムをＣＰＵ２０１が実行することによってその機能を実現する。
【００３７】
入力部３１３は、表示部３１２によって表示された情報にかかる顧客からの通話の発信に対するセールスの状況に応じた顧客へのアクション情報を入力する。ここで、アクション情報は、具体的には、たとえば、コールバック（予約）に関する情報であったり、折り返しに関する情報であったり、保留に関する情報であったり、伝言依頼に関する情報であったりする。入力部３１３は、具体的には、たとえば図２に示したキーボード２１０やマウス２１１によってその機能を実現する。
【００３８】
送信部３１４は、入力部３１３によって入力されたアクション情報をＷｅｂ＆ＩＰ／Ｔｅｌｅｐｈｏｎｅサーバ１０１へ送信する。送信部３１４は、具体的には、たとえば図２に示したＩ／Ｆ２０９によってその機能を実現する。
【００３９】
また、受信部３２１は、Ｗｅｂ＆ＩＰ／Ｔｅｌｅｐｈｏｎｅサーバ１０１の送信部３０３から送信された表示内容に関する情報を受信する。受信部３２１は、具体的には、たとえば図２に示したＩ／Ｆ２０９によってその機能を実現する。また、表示部３２２は、受信部３２１によって受信された表示内容に関する情報、すなわちセールスからの通話の発信に関する情報を表示する。表示部３２２は、具体的には、たとえば図２に示したディスプレイ２０８によって、およびＲＯＭ２０２、ＲＡＭ２０３、ＨＤ２０５、ＦＤ２０７などに記憶されたプログラムをＣＰＵ２０１が実行することによってその機能を実現する。
【００４０】
入力部３２３は、表示部３２２によって表示された情報にかかるセールスからの通話の発信に対する顧客の状況に応じたセールスへのアクション情報を入力する。ここで、アクション情報は、具体的には、たとえば、コールバック（予約）に関する情報であったり、折り返しに関する情報であったり、保留に関する情報であったり、伝言依頼に関する情報であったりする。入力部３２３は、具体的には、たとえば図２に示したキーボード２１０やマウス２１１によってその機能を実現する。また、送信部３２４は、入力部３２３によって入力されたアクション情報をＷｅｂ＆ＩＰ／Ｔｅｌｅｐｈｏｎｅサーバ１０１へ送信する。送信部３２４は、具体的には、たとえば図２に示したＩ／Ｆ２０９によってその機能を実現する。
【００４１】
（通話調整支援システムの処理の手順）
つぎに、この発明の本実施の形態にかかる通話調整支援システムの処理の手順について説明する。図４は、この発明の本実施の形態にかかる通話調整支援システムを構成するサーバの処理の手順を示すフローチャートである。
【００４２】
図４のフローチャートにおいて、Ｗｅｂ＆ＩＰ／Ｔｅｌｅｐｈｏｎｅサーバ１０１は、まず、顧客（あるいはセールス）からの通話の発信があったか否かを判断する（ステップＳ４０１）。ここで、通話の発信を待って、通話の発信があった場合（ステップＳ４０１：Ｙｅｓ）は、つぎに、発信された通話にかかる通話発信情報を取得する（ステップＳ４０２）。そして、取得した通話発信情報に対応する、あらかじめ登録された表示画面情報をセールス側（あるいは顧客側）情報処理端末装置へ送信する（ステップＳ４０３）。
【００４３】
そして、セールス側（あるいは顧客側）情報処理端末装置において、表示画面情報を受信し、表示する。その後、表示画面に対応したアクション情報を入力し、Ｗｅｂ＆ＩＰ／Ｔｅｌｅｐｈｏｎｅサーバ１０１へ送信する。
【００４４】
Ｗｅｂ＆ＩＰ／Ｔｅｌｅｐｈｏｎｅサーバ１０１では、アクション情報をセールス（あるいは顧客）情報処理端末装置から受信したか否かを判断する（ステップＳ４０４）。そして、アクション情報を受信するのを待って、受信した場合（ステップＳ４０４：Ｙｅｓ）は、受信したアクション情報に基づいて、表示内容を決定する（ステップＳ４０５）。つぎに、決定された表示内容の表示画面情報をセールス側（あるいは顧客側）情報処理端末装置へ送信する（ステップＳ４０６）。これによって、セールス側（あるいは顧客側）情報処理端末装置に表示画面の内容を表示させることができる。
【００４５】
つぎに、折り返しやコールバックにおいて設定された時間がある場合に、その設定された時間が経過したか否かを判断する（ステップＳ４０７）。ここで、設定された時間を経過していない場合（ステップＳ４０７：Ｎｏ）は、何もせずに、ステップＳ４０９へ移行する。一方、設定された時間を経過した場合（ステップＳ４０７：Ｙｅｓ）は、設定時間が経過した旨の通知を含む表示画面情報をセールス側（あるいは顧客側）情報処理端末装置へ送信する（ステップＳ４０８）。
【００４６】
その後、この通話に関する処理が完了したか、すなわち顧客−セールス間において通話が成されたか、あるいは通話自体がキャンセルされたか否かを判断する（ステップＳ４０９）。ここで、処理が完了していない場合（ステップＳ４０９：Ｎｏ）は、ステップＳ４０７へ戻る。一方、処理が完了した場合（ステップＳ４０９：Ｙｅｓ）は、一連の処理を終了する。
【００４７】
（顧客側情報処理端末装置の画面構成）
つぎに、この発明の通話調整支援システムを構成する顧客側情報処理端末装置の画面構成について説明する。図５〜図１９は、この発明の本実施の形態にかかる通話調整支援システムを構成する顧客側情報処理端末装置に表示される表示画面の一例を示す説明図である。
【００４８】
図５は、同通話調整支援システムのログイン後に表示されている時価情報の画面のうち、顧客ログイン時の初期画面を示している。図５において、画面５００は、第１フレーム５０１、第２フレーム５００２、第３フレーム５０３の３つから構成されている。第１フレーム５０１には、各セールスの氏名のボタンと、各セールスの多重度について表示する。セールス表示は登録数に応じて可変に表示する。また、各セールスボタンは、各セールスの状況が一見して認識できるようにその表示色を変更する（たとえば話し中のセールスは赤で表示し、話し中でないセールスは青で表示する）。
【００４９】
また、多重度とは、セールスが取引中となっている顧客の数を示している。これは、会話中の状態だけでなく、保留中の顧客のカウントする。第２フレーム５０２には、各種メニュー情報を表示する。第３フレーム５０３には、板情報、すなわち、扱っている債券の時価情報を表示する。
【００５０】
また図６は、担当セールスの呼び出し画面を示している。図６は、図５において、『大和太郎』ボタン５０４が押下されることによって、セールスとして「大和太郎」を選択し、画面６００のセールス担当欄に、その氏名を表示する。また、コールバック予約とは、セールスに所定の時刻に折り返してもらうようにすることである。コールバック予約は、セールスに対して指定した時刻に会話したいときに使用する。コールバック予約が設定されると、所定の間隔でセールスの画面に警告が表示され、該当時刻になると指定顧客に接続する。
【００５１】
また、コールバック予約の時刻リストボックス６０１は、各セールスが設定した、後述するコールバック可能時間に基づいて、まだ予約が入っていない時間を選択させることができる。折り返し予約に入力が無い場合には、即接続扱いとなる。件名入力欄６０２、要件入力欄６０３には、それぞれ、顧客の件名および要件が入力される。『ＯＫ』ボタン６０４が押下されると、図７に示す画面７００をポップアップ表示する。『キャンセル』ボタン６０５が押下されると、画面６００において入力された情報をすべて破棄して、画面６００を消去し、画面５００に戻る。
【００５２】
ここで、他の話中や、保留よりも優先して、セールスによって通話接続がされた場合は、多重度があがり、図８に示すように、画面５００の第１フレーム５０１の『大和太郎』ボタン５０４の上部領域に『通話』の文字を表示する。
【００５３】
また、図７に示した画面７００を表示している間に、セールスによって顧客からのメッセージなどから判断して折り返しの時刻（分後）の入力を受ける。離席等で顧客メッセージを判断して折り返し時刻を判断できない場合には、あらかじめ初期設定してある折り返し時刻（分後）の入力を受け付ける。図９に示す画面９００には、現在時刻（ＨＨ：ＭＭ）と、『××分後に折り返しご連絡します。』のメッセージをポップアップ表示する。
【００５４】
さらに、図１０に示すように、画面５００の第１フレーム５０１の『大和太郎』ボタン５０４の上部領域に『折り返し』の文字を表示する。多重度はそのまま（＜２＞）である。コールバックの場合は、『折り返し』の文字の代わりに、『コールバック』の文字を表示する。顧客が、折り返し表示中に再度接続をリクエストしたい場合には、セールス名のボタンを押下すればよい。
【００５５】
また、図７に示した画面７００を表示した後に、図１１に示す画面１１００をポップアップ表示することもできる。ここで、『キャンセル』１１０１が顧客によって押下されると、図示を省略するが、後ほどあらためて連絡する旨のメッセージを送信する。
【００５６】
また、図６に示した画面６００において、『ＯＫ』ボタン６０４が押下された後、チェック処理で予約時刻に予約が入れられない状態のときには、図１２に示す画面１２００のエラーメッセージ（コールバック予約エラーの応答メッセージ）をポップアップ表示し、その後、図６に示す画面６００を再表示する。また、コールバック予約が完了した場合は、図１３に示す画面１３００のコールバック予約の応答メッセージをポップアップ表示する。
【００５７】
また、図５に示した画面５００の第１フレーム５０１の『状況』ボタン５０５が押下された場合は、現在時刻に対して、将来の通話予定、状況を顧客に知らせるため、図１４に示す画面１４００を表示する。また、図１４に示す画面１４００のときの、画面５００の第１フレーム５０１の表示内容を図１５に示す。画面１４００において、現在時刻（１１：００）とともに、セールス呼び出しの一覧を表示する。表示するのは、現在時刻に比べ未来にあるコールバック予約、現在時刻に比べ未来にある折り返し予約、現在話中のもの（商談中）、現在保留中のもの（商談中）である。
【００５８】
画面１４００の一覧には、「ステータス」、「時刻（予定）」、「セールス」名、「件名」、「要件」の各項目を表示する。そして、左端に、チェックボックス１４０１を表示する。要件については、『詳細』ボタン１４０２が押下されることによって、図６に示した画面６００の要件入力欄６０３において入力を受け付けた内容を表示する。また、該当するチェックボックス１４０１をＯＮにして『取消』ボタン１４０３が押下されることによって、セールス側で持っている、保留情報といった取引情報や、コールバック・折り返し情報から該当情報を消去する。
【００５９】
また、図１６は、セールスから問い合わせがあった場合のメッセージを示す画面である。図１６の画面１６００において、『本文表示』ボタン１６０１が押下されることによって、要件の本文を表示する。そして、顧客によって応答内容の選択がラジオボタン１６０２によってなされ、『ＯＫ』ボタン１６０３が押下された場合に、各選択内容によってそれぞれ異なる処理をおこなう。すなわち、「××分後にかけ直してもらう」が選択された場合は、セールス側には、後述する図３０の表示画面３０００を表示する。また、「伝言を入れてもらう」が選択された場合は、セールス側には、後述する図３２の表示画面３２００を表示する。
【００６０】
また、「しばらくそのまま待ってもらう」が選択された場合は、セールス側には、後述する図３１の表示画面３１００を表示し、セールスが「待ち」にキャンセルを入れた場合は、図１７に示す表示画面１７００を表示する。また、顧客からの応答なし、応答できない場合には、初期設定時刻経過後、不在通知をセールス側に送信する。また、セールスからの問い合わせに対して自動応答がなされた場合は、図１８に示すようなセールスに着信があった旨のポップアップメッセージの表示画面１８００を表示する。
【００６１】
また、図１９は、デフォルト応答の設定画面を示す説明図である。図１９に示す表示画面１９００において、各担当者ごとに応答待ち時間および折り返し設定時刻を設定することができる。
【００６２】
（セールス側情報処理端末装置の画面構成）
つぎに、この発明の実施の形態にかかる通話調整支援システムを構成するセールス側情報処理端末装置の画面構成について説明する。図２０〜図３３は、この発明の本実施の形態にかかる通話調整支援システムを構成するセールス側情報処理端末装置に表示される表示画面の一例を示す説明図である。このうち、図２０〜図２３は、顧客からのコールバック予約、顧客からの通話要求に対する「××分後の折り返し」時の処理に関する内容である。
【００６３】
図６に示したように、顧客からのコールバック予約または折り返しの要求があった場合、セールス側情報処理端末装置１１１〜１１５に図２０に示す画面２０００をポップアップ表示する。画面２０００において、コールバックは、顧客がセールスに対して、折り返し応答を指定するものであり、折り返しは、顧客からの通話要求に対して、通話できず、所定時刻後に顧客へ通話するものである。当初の折り返し時刻に折り返しができなかった場合には初期設定による自動延長後、次回折り返し予定時刻を、たとえば赤で表示する。
【００６４】
また、所定時刻にセールスが通話要求したが、顧客からの通話が成立しない場合は、デフォルトの折り返し時刻を返信する。その時刻に応じた次回呼び出し予定に更新する。また、画面２０００に表示されている顧客のなかで「折り返し」のステータスの顧客に対して、上記指定時刻外にセールスと顧客との間で、通話が成立した場合には、画面２０００から該当する予定を消去する。すなわち、つまり顧客主導、セールス主導を問わず「折り返し」状態の関係で通話が成立すれば折り返し予定を消去する。また、コールバックは、その時刻以降に通話し、成立したときに画面２０００から消去する。
【００６５】
折り返しが設定されている場合、該当時刻に達すると、図２１に示す画面２１００をポップアップ表示して、顧客に対する「折り返し」の連絡を促す。図２１において、所定時刻後に『ＯＫ』ボタン２１０１が押下されなかった場合には、初期設定した折り返しメッセージを再度顧客側に送信し、自動延期する。
【００６６】
また、コールバックが設定されている場合は、あらかじめ設定した頻度（図３３を用いて後述する。）にしたがって、該当時刻まで図２２に示す警告のメッセージ画面２２００をポップアップ表示する。そして、該当時間に達すると、図２３に示す画面２３００をポップアップ表示して、顧客に対する「コールバック」の連絡を促す。図２３において、所定時刻後に『ＯＫ』ボタン２３０１が押下されなかった場合には、初期設定した折り返しメッセージを再度顧客側に送信し、自動延期する。
【００６７】
また、図２４は、取引状況の確認に関する内容である。図２４に示す画面２４００は、取引の多重度を顧客向けに表示されるところに利用する。画面２４００において、「ステータス」が『保留』となっている場合は、会話中ではないが、まだ要件が終了していない状態を示しており、「ステータス」が『会話』となっている場合は、通話中であることを示している。
【００６８】
『呼出』ボタン２４０１、『保留』ボタン２４０２が押下されることによって会話の状態を切り替える。通話状態から保留になると、図１５に示したように、顧客側の画面５０１において、担当者のボタン上部領域に、「保留」メッセージを表示する。また、『終了』ボタン２４０３が押下されると、これは要件終了を意味し、取引状況から消去する。
【００６９】
また、図２５〜図２７は、顧客からの問い合わせ時の処理に関する内容である。顧客からの問い合わせがあったとき、図２５に示す画面２５００をポップアップ表示する。画面２５００において、保留中の顧客や折り返し客に対する顧客からの問い合わせ時は、たとえば『(折り返し前に再度の問い合わせです）』や『(保留中の問い合わせです）』といったメッセージを表示し、セールスに対して注意を促す。また、『詳細』ボタン２５０１が押下されると、本文がある場合は別の子画面をポップアップ表示する。また、顧客側で画面５００の第３フレーム５０３に表示した板情報から売買情報が選択され注文条件が添付された問い合わせが入力された場合には、詳細表示の子画面内に売買情報を表示する。
【００７０】
応答内容の選択のうち、現在、別の顧客と話し中のときに『電話を取る』が選択され、『ＯＫ』ボタン２５０２が押下された場合は、図２６に示す画面２６００をポップアップ表示する。また、『○○分後に折り返す』が選択され、『ＯＫ』ボタン２５０２が押下された場合は、顧客に対して、図９に示した画面９００を表示する。また、『しばらくそのまま待ってもらう』が選択され、『ＯＫ』ボタン２５０２が押下された場合は、顧客に対して、図１１に示した画面１１００を表示する。
【００７１】
そして、画面１１００が表示された状態で顧客によってキャンセルが入力された場合、図２７に示す画面２７００をポップアップ表示する。また、応答時間表示欄２５０３には、メッセージを返すまでの残り時間表示デフォルトの応答待ち時間をカウントダウン表示される。画面２５００において、所定の時間内に応答しない場合には、あらかじめ設定してある応答内容にしたがって顧客向けのメッセージを返信する。
【００７２】
また、図２８および図２９は、顧客への呼び出し処理に関する内容である。図２８に示す画面２８００は、セールス側のメイン画面であり、初期画面では第１フレーム２８０１および２フレーム２８０２のみで第３フレーム２８０３には何も表示しない。そして、第２フレーム２８０２の顧客が選択されることで第３フレーム２８０３に該当顧客の注文情報・約定情報を表示する。また、『顧客メッセージ』ボタン２８０４が押下されることによって、複数顧客向けの伝言メモを送信する。複数顧客対応なので、特定の顧客との会話をすることはできない。図１８に示した画面１８００を顧客側に表示する。
【００７３】
また、『顧客コール』ボタン２８０５が押下されることによって、図２９に示す画面２９００をポップアップ表示する。画面２９００において、『即時呼び出し』とは、顧客担当の呼び出し（件名、要件も顧客に送信される）であり、また、『伝言メモの送信のみ』とは、顧客への通話要求はせずに件名、要件のポップアップメッセージを送信する。『即時呼び出し』が選択され、『呼出』ボタン２９０１が押下されると、図１６に示した画面１６００を顧客側に表示する。また、『伝言メモの送信のみ』が選択され、『呼出』ボタン２９０１が押下されると、図１８に示した画面１８００を顧客側に表示する。
【００７４】
また、図３０〜図３２は、通話要求に関する顧客からの折り返しメッセージに関する内容である。図１６の表示画面１６００において、顧客によって「××分後にかけ直してもらう」が選択された場合に、図３０の表示画面３０００をポップアップ表示する。また、「しばらくそのまま待ってもらう」が選択された場合に、図３１の表示画面３１００をポップアップ表示する。ここで、『キャンセル』ボタン３１０１が押下された場合、前述した図１７の表示画面１７００を顧客側に表示し、再度連絡する旨のメッセージを通知する。
【００７５】
また、「伝言を入れてもらう」が選択された場合に、図３２の表示画面３２００をポップアップ表示する。ここで、『ＯＫ』ボタン３２０１が押下された場合、タイトル、本文入力確認後、メッセージを顧客へ送信する。『キャンセル』ボタン３２０２が押下された場合、表示画面３１００と同様に、前述した図１７の表示画面１７００を顧客側に表示し、再度連絡する旨のメッセージを通知する。
【００７６】
図３３は、デフォルト応答時の初期設定画面を示している。また、図３４は顧客担当の登録テーブルを示す説明図であり、図３５はセールスのスケジュールを示す説明図である。図３３において、応答時の初期設定画面３３００は、各セールスごとに、応答待ち時間、折り返し設定時刻、コールバック警告頻度、コールバック対応時間帯について設定させることができる。
【００７７】
担当者選択／表示欄３３０１は、図３４に示す登録テーブル３４００に基づいて、顧客ごとに選択可能な担当者名をプルダウン表示し、その中から顧客に該当する担当者を選択させる。また、図３５に示すスケジュールテーブル３５００に基づいて、当日選択可能な担当者のみを表示させるようにしてもよい。
【００７８】
（対応処理テーブルの内容）
つぎに、各対応に対する処理テーブルの内容について説明する。図３６〜図４０は、この発明の実施の形態にかかる通話調整支援システムの対応処理テーブルの内容を示す説明図である。図３６〜図４０において、各テーブル３６００〜４０００は、「セールスの状況（アクション）」（４０００のみは「顧客の状況（アクション」）項目、「顧客へのアクション」（４０００のみは「セールスへのアクション」）項目、「顧客側の画面ＩＤ」項目、「セールス側の画面ＩＤ」項目および「備考」項目から構成される。
【００７９】
図３６は、セールスの顧客からの問い合わせに対する対応処理テーブルである。図３６において、たとえば、「セールスの状況」が『在席（応答可（待ち応答）』の場合は、「顧客のアクション」は『もうしばらくそのまま待ってもらう』であるので、「顧客側の画面ＩＤ」は図７に示した表示画面７００から図１１に示した表示画面１１００へ移行する。また、「セールス側の画面ＩＤ」は図２５に示した表示画面２５００から場合によって（キャンセルした場合）は、図２７に示した表示画面２７００へ移行する。このように、「顧客側の画面ＩＤ」項目、「セールス側の画面ＩＤ」項目のＩＤナンバーは、上述した図面のテーブルに付した符号と一致する。
【００８０】
図３７は、セールスの顧客からのコールバック予約に対する対応処理テーブルであり、図３８は、セールスの折り返し時のアクションの対応処理テーブルであり、図３９は、せーするのコールバック時のアクションの対応処理テーブルであり、図４０は、顧客のセールスからの問い合わせに対する対応処理テーブルであり、それぞれ、図３６と同様の対応処理が登録されている。
【００８１】
以上説明したように、本実施の形態によれば、セールス側情報処理端末装置群１０３が、顧客からの通話の発信に関する情報を表示する表示部３１２と、表示部３１２によって表示された情報にかかる顧客からの通話の発信に対するセールスの状況に応じた顧客へのアクション情報を入力する入力部３１３と、入力部３１３によって入力されたアクション情報を前記サーバへ送信する送信部３１４と、を備え、また、顧客側情報処理端末装置１０６〜１０９が、セールスからの通話の発信に関する情報を表示する表示部３２２と、表示部３２２によって表示された情報にかかるセールスからの通話の発信に対する顧客の状況に応じたセールスへのアクション情報を入力する入力部３２３と、入力部３２３によって入力されたアクション情報をＷｅｂ＆ＩＰ／Ｔｅｌｅｐｈｏｎｅサーバ１０１へ送信する送信部３２４と、を備え、Ｗｅｂ＆ＩＰ／Ｔｅｌｅｐｈｏｎｅサーバ１０１が、送信部３１４によって送信されたアクション情報を受信する受信部３０４と、受信部３０４によって受信されたアクション情報に基づいて、セールス側情報処理端末装置群１０３に表示する表示内容および顧客側情報処理端末装置１０６〜１０９に表示する表示内容の少なくともいずれかを決定する表示内容決定部３０２と、表示内容決定部３０２によって決定された表示内容に関する情報を、セールス側情報処理端末装置群１０３および顧客側情報処理端末装置１０６〜１０９の少なくともいずれかへ送信する送信部３０３と、を備えており、前記アクション情報がコールバックに関する情報であったり、前記アクション情報が折り返しに関する情報であったり、前記アクション情報が保留に関する情報であったり、前記アクション情報が伝言依頼に関する情報であるため、セールス側において、電話に出れないときのメッセージをあらかじめ登録しておくことで、離席中電話に出れないときや、話中に電話呼び出しに応えないときはここで登録されたメッセージが折り返される。
【００８２】
また、話中に他から電話かあった場合、電話が掛かっている旨のポップアップメッセージが表示される。そこには、たとえば「相手先の名称」、「要件（相手が電話ＣＡＬＬ時に入れた場合など）」、「折り返し応答のパターン」などが表示されているので、相手先や、要件の内容を目視で判断することができ、その内容に応じて、折り返し応答のパターンを決めることができる。また、折り返し応答を選択せずにポップアップメッセージを閉じてしまった場合には、デフォルトメッセージが顧客側に折り返される。また、セールスから顧客への電話時には、相手が電話に出れないときにはメッセージを残せる。
【００８３】
また、顧客側において、担当者が話中かわかるようになっている電話を掛ける前に、担当者が電話中かどうかわかる。また、顧客側画面にある銘柄情報（板情報）を選択後、電話することで、セールス側には、ポップアップメッセージとともに、売買したい銘柄情報が表示される。
【００８４】
また、特定の時刻に折り返し電話がセールスから入るようになっているため、要件と折り返しＣＡＬＬしてもらいたい時刻を所定の欄に入力後、ＣＡＬＬすることでセールス側は特定の時刻前に数度にわたり、スケジュールされた折り返す旨のメッセージが所定の時刻までの間で表示される。また、電話を掛ける際、要件を入れて通話ボタンを押下することで呼び出し時に要件も伝わるので、相手につながるとともに、そこに記載されている要件が相手に表示される。
【００８５】
なお、本実施の形態で説明した通話調整支援方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００８６】
以上のように、本発明にかかる通話調整支援システム、通話調整支援方法およびその方法をコンピュータに実行させる通話調整支援プログラムは、セールスと顧客との通話の調整処理に用いるのに適している。
【図面の簡単な説明】
【００８７】
【図１】この発明の本実施の形態にかかる通話調整支援システムのシステム構成を示す説明図である。
【図２】この発明の本実施の形態にかかる通話調整支援システムを構成するサーバおよび情報処理端末装置のハードウエア構成を示す説明図である。
【図３】この発明の本実施の形態にかかる通話調整支援システムの機能的構成を示すブロック図である。
【図４】この発明の本実施の形態にかかる通話調整支援システムを構成するサーバの処理の手順を示すフローチャートである。
【図５】この発明の本実施の形態にかかる通話調整支援システムを構成する顧客側情報処理端末装置に表示される表示画面の一例を示す説明図である。
【図６】この発明の本実施の形態にかかる通話調整支援システムを構成する顧客側情報処理端末装置に表示される表示画面の別の一例を示す説明図である。
【図７】この発明の本実施の形態にかかる通話調整支援システムを構成する顧客側情報処理端末装置に表示される表示画面の別の一例を示す説明図である。
【図８】この発明の本実施の形態にかかる通話調整支援システムを構成する顧客側情報処理端末装置に表示される表示画面の別の一例を示す説明図である。
【図９】この発明の本実施の形態にかかる通話調整支援システムを構成する顧客側情報処理端末装置に表示される表示画面の別の一例を示す説明図である。
【図１０】この発明の本実施の形態にかかる通話調整支援システムを構成する顧客側情報処理端末装置に表示される表示画面の別の一例を示す説明図である。
【図１１】この発明の本実施の形態にかかる通話調整支援システムを構成する顧客側情報処理端末装置に表示される表示画面の別の一例を示す説明図である。
【図１２】この発明の本実施の形態にかかる通話調整支援システムを構成する顧客側情報処理端末装置に表示される表示画面の別の一例を示す説明図である。
【図１３】この発明の本実施の形態にかかる通話調整支援システムを構成する顧客側情報処理端末装置に表示される表示画面の別の一例を示す説明図である。
【図１４】この発明の本実施の形態にかかる通話調整支援システムを構成する顧客側情報処理端末装置に表示される表示画面の別の一例を示す説明図である。
【図１５】この発明の本実施の形態にかかる通話調整支援システムを構成する顧客側情報処理端末装置に表示される表示画面の別の一例を示す説明図である。
【図１６】この発明の本実施の形態にかかる通話調整支援システムを構成する顧客側情報処理端末装置に表示される表示画面の別の一例を示す説明図である。
【図１７】この発明の本実施の形態にかかる通話調整支援システムを構成する顧客側情報処理端末装置に表示される表示画面の別の一例を示す説明図である。
【図１８】この発明の本実施の形態にかかる通話調整支援システムを構成する顧客側情報処理端末装置に表示される表示画面の別の一例を示す説明図である。
【図１９】この発明の本実施の形態にかかる通話調整支援システムを構成する顧客側情報処理端末装置に表示される表示画面の別の一例を示す説明図である。
【図２０】この発明の本実施の形態にかかる通話調整支援システムを構成するセールス側情報処理端末装置に表示される表示画面の一例を示す説明図である。
【図２１】この発明の本実施の形態にかかる通話調整支援システムを構成するセールス側情報処理端末装置に表示される表示画面の別の一例を示す説明図である。
【図２２】この発明の本実施の形態にかかる通話調整支援システムを構成するセールス側情報処理端末装置に表示される表示画面の別の一例を示す説明図である。
【図２３】この発明の本実施の形態にかかる通話調整支援システムを構成するセールス側情報処理端末装置に表示される表示画面の別の一例を示す説明図である。
【図２４】この発明の本実施の形態にかかる通話調整支援システムを構成するセールス側情報処理端末装置に表示される表示画面の別の一例を示す説明図である。
【図２５】この発明の本実施の形態にかかる通話調整支援システムを構成するセールス側情報処理端末装置に表示される表示画面の別の一例を示す説明図である。
【図２６】この発明の本実施の形態にかかる通話調整支援システムを構成するセールス側情報処理端末装置に表示される表示画面の別の一例を示す説明図である。
【図２７】この発明の本実施の形態にかかる通話調整支援システムを構成するセールス側情報処理端末装置に表示される表示画面の別の一例を示す説明図である。
【図２８】この発明の本実施の形態にかかる通話調整支援システムを構成するセールス側情報処理端末装置に表示される表示画面の別の一例を示す説明図である。
【図２９】この発明の本実施の形態にかかる通話調整支援システムを構成するセールス側情報処理端末装置に表示される表示画面の別の一例を示す説明図である。
【図３０】この発明の本実施の形態にかかる通話調整支援システムを構成するセールス側情報処理端末装置に表示される表示画面の別の一例を示す説明図である。
【図３１】この発明の本実施の形態にかかる通話調整支援システムを構成するセールス側情報処理端末装置に表示される表示画面の別の一例を示す説明図である。
【図３２】この発明の本実施の形態にかかる通話調整支援システムを構成するセールス側情報処理端末装置に表示される表示画面の別の一例を示す説明図である。
【図３３】この発明の本実施の形態にかかる通話調整支援システムを構成するセールス側情報処理端末装置に表示される表示画面の別の一例を示す説明図である。
【図３４】この発明の本実施の形態にかかる通話調整支援システムを構成するセールス側情報処理端末装置に表示される表示画面の別の一例を示す説明図である。
【図３５】この発明の本実施の形態にかかる通話調整支援システムを構成するセールス側情報処理端末装置に表示される表示画面の別の一例を示す説明図である。
【図３６】この発明の実施の形態にかかる通話調整支援システムの対応処理テーブルの内容を示す説明図である。
【図３７】この発明の実施の形態にかかる通話調整支援システムの対応処理テーブルの別の内容を示す説明図である。
【図３８】この発明の実施の形態にかかる通話調整支援システムの対応処理テーブルの別の内容を示す説明図である。
【図３９】この発明の実施の形態にかかる通話調整支援システムの対応処理テーブルの別の内容を示す説明図である。
【図４０】この発明の実施の形態にかかる通話調整支援システムの対応処理テーブルの別の内容を示す説明図である。
【図４１】従来技術にかかるセールスの業務の概要を示す説明図である。
【符号の説明】
【００８８】
１００  ネットワーク
１０１  Ｗｅｂ＆ＩＰ／Ｔｅｌｅｐｈｏｎｅサーバ
１０２  通話調整支援システムＤＢ群
１０３  セールス側情報処理端末装置群
１０４  トレーダー側情報処理端末装置群
１０５  ゲートウェイサーバ
１０６〜１０９  顧客側情報処理端末装置
３０２  表示内容決定部
【図１】
2005110062.tif 000003
【図２】
2005110062.tif 000004
【図３】
2005110062.tif 000005
【図４】
2005110062.tif 000006
【図５】
2005110062.tif 000007
【図６】
2005110062.tif 000008
【図７】
2005110062.tif 000009
【図８】
2005110062.tif 000010
【図９】
2005110062.tif 000011
【図１０】
2005110062.tif 000012
【図１１】
2005110062.tif 000013
【図１２】
2005110062.tif 000014
【図１３】
2005110062.tif 000015
【図１４】
2005110062.tif 000016
【図１５】
2005110062.tif 000017
【図１６】
2005110062.tif 000018
【図１７】
2005110062.tif 000019
【図１８】
2005110062.tif 000020
【図１９】
2005110062.tif 000021
【図２０】
2005110062.tif 000022
【図２１】
2005110062.tif 000023
【図２２】
2005110062.tif 000024
【図２３】
2005110062.tif 000025
【図２４】
2005110062.tif 000026
【図２５】
2005110062.tif 000027
【図２６】
2005110062.tif 000028
【図２７】
2005110062.tif 000029
【図２８】
2005110062.tif 000030
【図２９】
2005110062.tif 000031
【図３０】
2005110062.tif 000032
【図３１】
2005110062.tif 000033
【図３２】
2005110062.tif 000034
【図３３】
2005110062.tif 000035
【図３４】
2005110062.tif 000036
【図３５】
2005110062.tif 000037
【図３６】
2005110062.tif 000038
【図３７】
2005110062.tif 000039
【図３８】
2005110062.tif 000040
【図３９】
2005110062.tif 000041
【図４０】
2005110062.tif 000042
【図４１】
2005110062.tif 000043